(57)【特許請求の範囲】
【請求項１】
頭髪用の育毛あるいは発毛薬液を貯える薬液貯留部と、
頭皮を刺激する形状の先端を有して前記薬液貯留部と一体的に形成され、該薬液貯留部内の薬液を前記先端あるいはその近傍から漏出させる微細貫通孔を備えたつぼ刺激部と、
一端が前記薬液貯留部に固着されるとともに、他端近傍が指によって把持される把持部とされ、前記一端が前記微細貫通孔の延びる方向に動くようにしなる弾性変形可能な把持部材と、
前記薬液貯留部の内部に収容され、該薬液貯留部が振られた際に跳ね動いて、そこに貯えられている前記薬液を飛散させる部材とを備えてなるつぼ刺激具。
【請求項２】
前記薬液貯留部に、その中に外部から前記薬液を導入する薬液導入口が設けられていることを特徴とする請求項１記載のつぼ刺激具。
【請求項３】
前記微細貫通孔が前記薬液導入口を兼ねていることを特徴とする請求項２記載のつぼ刺激具。
【請求項４】
前記薬液導入口が、中空針状の薬液注入具を緊密に受け入れる形状とされていることを特徴とする請求項２または３記載のつぼ刺激具。
【請求項５】
前記薬液を飛散させる部材が球体であることを特徴とする請求項１から４いずれか１項記載のつぼ刺激具。
【請求項６】
前記薬液貯留部が、前記薬液を貯留するカートリッジと、このカートリッジを着脱自在に保持して前記把持部材の一端に固着されたカートリッジ受承部とから構成されていることを特徴とする請求項１から５いずれか１項記載のつぼ刺激具。
【請求項７】
前記薬液貯留部が、前記薬液を充填した中空球状部材を内部に収容する形状とされた上で、その内部に、該薬液貯留部が振られた際に前記中空球状部材に刺さって前記薬液をその外に漏出させる鋭利な部材が突設されていることを特徴とする請求項１から５いずれか１項記載のつぼ刺激具。
【請求項８】
前記薬液貯留部が可撓性材料から形成されて、通常状態とそれよりも容積が小さい圧縮状態とを取り得るように変形自在とされ、この圧縮状態から通常状態に復帰する際の内部負圧により前記薬液導入口から前記薬液を吸入可能とされていることを特徴とする請求項２から５いずれか１項記載のつぼ刺激具。
【請求項９】
前記つぼ刺激部がほぼ円錐状に形成されていることを特徴とする請求項１から８いずれか１項記載のつぼ刺激具。
【請求項１０】
前記薬液貯留部の前記つぼ刺激部が固定された端部と反対側の端部に、このつぼ刺激部と異なる強さの刺激を頭皮に与える第二のつぼ刺激部が固定されていることを特徴とする請求項１から９いずれか１項記載のつぼ刺激具。
【請求項１１】
前記薬液貯留部、つぼ刺激部および把持部材が合成樹脂によって一体的に形成されていることを特徴とする請求項１から１０いずれか１項記載のつぼ刺激具。
【発明の詳細な説明】
【０００１】
【発明の属する技術分野】
本発明は人体の「つぼ」を刺激するつぼ刺激具に関し、さらに詳細には、頭髪用の育毛あるいは発毛薬液を頭皮に点着する機能も備えたつぼ刺激具に関するものである。
【０００２】
【従来の技術】
従来、頭髪用の育毛剤や発毛剤が種々実用に供されている。この育毛剤や発毛剤の大部分は液体であり、それを使用する際には多くの場合、瓶等の薬液容器から頭皮に直接振りかけることが行なわれて来た。
【０００３】
ところでこの種の育毛剤や発毛剤は、それを点着する前あるいは後に頭皮に刺激を与えて使用すると、頭皮への吸収が促進されて、育毛あるいは発毛効果がより顕著化することが認められている。そのために従来は、堅いブラシ状の器具で頭皮を叩いて刺激を与える等の方策が採られて来た。
【０００４】
また、特に頭皮用に限らずに、身体一般の「つぼ」を刺激する器具として、つぼを刺激する刺激部を一端面に備えた本体と、一端がこの本体に固着されるとともに、他端近傍が指によって把持される把持部とされ、前記本体の軸方向（一端面に直角な方向）にしなるように弾性変形可能な把持部材とを備えてなるつぼ刺激具も知られている。実用新案登録第3051264号公報には、そのようなつぼ刺激具の一例が示されている。
【０００５】
この種のつぼ刺激具を用いれば、把持部材の把持部を指で持ってそれをしならせつつ本体を軸方向に往復揺動させることにより、該本体に備えられた刺激部で頭皮を断続的に叩いて刺激を与えることもできる。
【０００６】
【発明が解決しようとする課題】
しかし、液体の育毛剤や発毛剤を上述のように薬液容器から頭皮に直接振りかけると、点着量が多すぎて無駄になったり、反対に点着量が少なくて効果が半減するといった問題を招くことがある。
【０００７】
また、堅いブラシ等で頭皮を叩いて刺激する場合は、育毛剤や発毛剤を点着する他にさらにその作業をする必要があるため、つい面倒になって、頭皮刺激をおろそかにしてしまうことが往々にしてある。
【０００８】
本発明は上記の事情に鑑みてなされたものであり、頭皮に刺激を与えながら液体の育毛剤や発毛剤を所定量正しく点着することができるつぼ刺激具を提供することを目的とする。
【０００９】
【課題を解決するための手段】
本発明によるつぼ刺激具は、基本的には前述したつぼ刺激具と同様にしてつぼに断続的に刺激を与えられるようにし、そして揺動させる本体はタンク状の薬液貯留部として、それに一体化された刺激部が頭皮を叩く毎に、薬液貯留部内の育毛あるいは発毛薬液を刺激部の先端あるいはその近傍から漏出させるようにしたものである。
【００１０】
すなわち、より具体的に本発明によるつぼ刺激具は、
頭髪用の育毛あるいは発毛薬液を貯える薬液貯留部と、
頭皮を刺激する形状の先端を有して前記薬液貯留部と一体的に形成され、該薬液貯留部内の薬液を前記先端あるいはその近傍から漏出させる微細貫通孔を備えたつぼ刺激部と、
一端が前記薬液貯留部に固着されるとともに、他端近傍が指によって把持される把持部とされ、前記一端が前記微細貫通孔の延びる方向に動くようにしなる弾性変形可能な把持部材と、
前記薬液貯留部の内部に収容され、該薬液貯留部が振られた際に跳ね動いて、そこに貯えられている前記薬液を飛散させる、例えば球体からなる部材とを備えてなるものである。
【００１１】
なお上記の薬液貯留部は、１回の使用分の薬液を貯えて使い捨てとされても良いが、好ましくは、その中に外部から薬液を導入する薬液導入口が設けられて、使用の都度薬液を補充して繰り返し使用可能とされるのが望ましい。そのためには、例えば上述したつぼ刺激部の微細貫通孔を薬液導入口として利用することもできる。またそのような薬液導入口は、中空針状の薬液注入具を緊密に受け入れる形状とされるのが望ましい。
【００１３】
また薬液貯留部は、薬液を貯留するカートリッジと、このカートリッジを着脱自在に保持して前記把持部材の一端に固着されたカートリッジ受承部とから構成されてもよい。
【００１４】
また薬液貯留部は、薬液を充填した中空球状部材を内部に収容する形状とされた上で、その内部に、該薬液貯留部が振られた際に上記中空球状部材に刺さって薬液をその外に漏出させる鋭利な部材が突設されていてもよい。
【００１５】
さらに薬液貯留部は、可撓性材料から形成されて、通常状態とそれよりも容積が小さい圧縮状態とを取り得るように変形自在とされ、この圧縮状態から通常状態に復帰する際の内部負圧により薬液導入口から薬液を吸入可能とされていることが望ましい。
【００１６】
また本発明のつぼ刺激具において、つぼ刺激部はほぼ円錐状に形成されることが望ましい。
【００１７】
また本発明のつぼ刺激具において、薬液貯留部のつぼ刺激部が固定された端部と反対側の端部には、このつぼ刺激部と異なる強さの刺激を頭皮に与える第二のつぼ刺激部が固定されていることが望ましい。
【００１８】
さらに本発明のつぼ刺激具において、前記薬液貯留部、つぼ刺激部および把持部材は合成樹脂によって一体的に形成されることが望ましい。
【００１９】
【発明の効果】
本発明によるつぼ刺激具は上述の通りの薬液貯留部と、つぼ刺激部と、把持部材とを備えてなるものであるので、把持部材を指で把持して振ることにより薬液貯留部を上下に揺らせ、そこに付いているつぼ刺激部で頭皮を叩いて刺激を与えることができる。このときつぼ刺激部が頭皮に当たると、揺れ動いた薬液貯留部が急に停止するので、その内部の薬液が慣性により移動し、つぼ刺激部の微細貫通孔を通って外部に漏出し、頭皮に点着される。なおこのつぼ刺激部の貫通孔を微細な径のものとしておくことにより、薬液貯留部が急激に停止したときだけ薬液が浸出するように構成することができる。
【００２０】
以上のように、本発明のつぼ刺激具によれば、育毛あるいは発毛薬液の点着と頭皮刺激とを同時に行なうことができるので、頭皮刺激をおろそかにしてしまうことを防止でき、常に頭皮刺激によって薬液の効果を最大限引き出すことが可能となる。また、特に上記薬液は使用せずに、つぼ刺激部や第二のつぼ刺激部を使用して、頭皮やその他の部位のつぼを刺激するだけのためにこのつぼ刺激具を用いることも勿論可能である。
【００２１】
そして本発明のつぼ刺激具において、薬液貯留部に薬液を外部から導入する薬液導入口が設けられている場合は、使用の都度薬液を補充して繰り返し使用可能となる。そのようにする場合には、例えば中空針状の薬液注入具を用いて、薬瓶から薬液貯留部に１回分または１日分等の所定量の薬液を貯えておくことができ、薬液を過不足なく正確に所定量だけ頭皮に点着可能となる。また、その薬液導入口としてつぼ刺激部の微細貫通孔を兼用すれば、つぼ刺激具の構造が簡素化される。
【００２２】
また特に薬液貯留部の薬液導入口が、中空針状の薬液注入具を緊密に受け入れる形状とされていれば、薬液貯留部に薬液を導入する作業を、そのような薬液注入具を利用して簡単に行なうことができる。
【００２３】
さらに本発明のつぼ刺激具においては、特に薬液貯留部の内部に、該薬液貯留部が振られた際に跳ね動いて、そこに貯えられている薬液を飛散させる部材が収容されていることから、薬液が飛散して薬液貯留部から漏出しやすくなるので、薬液の点着を迅速に行なえるようになる。
【００２４】
また、特に上記薬液貯留部が、育毛あるいは発毛薬液を貯留するカートリッジと、このカートリッジを着脱自在に保持して前記把持部材の一端に固着されるカートリッジ受承部とから構成されている場合は、このカートリッジを交換することにより、薬液供給を簡単に行なうことができる。そのようにする場合も、１回分または１日分等の薬液を計量してカートリッジに入れておくことにより、薬液を過不足なく正確に所定量だけ頭皮に点着可能となる。
【００２５】
なお上記のようなカートリッジは、空になる都度薬液を補充して繰り返し使用してもよいし、あるいは、１回毎に使い捨てとしても構わない。
【００２６】
また、特に薬液貯留部が、育毛あるいは発毛薬液を充填した中空球状部材を内部に収容する形状とされた上で、その内部に、該薬液貯留部が振られた際に上記中空球状部材に刺さって薬液をその外に漏出させる鋭利な部材が突設されている場合は、取扱いに便利な上述の中空球状部材を適用して、薬液供給を簡単に行なうことができる。
【００２７】
また、特に薬液貯留部が可撓性材料から形成されて、通常状態とそれよりも容積が小さい圧縮状態とを取り得るように変形自在とされ、この圧縮状態から通常状態に復帰する際の内部負圧により薬液導入口から育毛あるいは発毛薬液を吸入可能に構成された場合は、可撓性のこの薬液貯留部を指で押しつぶす等して圧縮状態にすることにより、別途薬液注入具を用いる必要もなく、薬液供給を簡単に行なうことができる。
【００２８】
また、つぼ刺激部をほぼ円錐状とすれば、その先端で頭皮等に適度の刺激を与えられるとともに、その先端あるいは先端近傍部分に開口する微細貫通孔を形成することも容易となる。
【００２９】
また本発明のつぼ刺激具において、特に薬液貯留部の前記つぼ刺激部が固定された端部と反対側の端部に、このつぼ刺激部と異なる強さの刺激を頭皮に与える第二のつぼ刺激部が固定されている場合には、この第二のつぼ刺激部を使用することにより、上記つぼ刺激部を使う場合とは強さが異なる刺激を頭皮に与えることも可能になる。
【００３０】
また本発明のつぼ刺激具において、前記薬液貯留部、つぼ刺激部および把持部材は合成樹脂によって一体的に形成してなるものである場合は、比較的低いコストで容易に作製可能となる。
【００３１】
【発明の実施の形態】
以下、図面を参照して本発明の実施の形態を説明する。図１は、本発明の第１の実施形態によるつぼ刺激具10の全体形状を示すものであり、また図２はその薬液貯留部11の側断面形状を示すものである。
【００３２】
これらの図に示されるように本実施の形態のつぼ刺激具10は、頭髪用の育毛あるいは発毛薬液15を貯える円筒容器状の薬液貯留部11と、この薬液貯留部11の一端部に形成された概略円錐状のつぼ刺激部12と、一端13ａが薬液貯留部11に固着されるとともに、他端近傍が指によって把持される把持部13ｂとされた把持部材13と、薬液貯留部11の他端部に形成された第二のつぼ刺激部14とを備えてなるものである。
【００３３】
本実施の形態においてこれらの薬液貯留部11、つぼ刺激部12、把持部材13および第二のつぼ刺激部14は全て、樹脂を射出成形して一体的に形成されている。使用される樹脂は、例えばポリプロピレン等の射出成形に適した熱可塑性樹脂で、成形後に適度な硬度と弾性を有するものであればその種類は特に限定されるものではない。
【００３４】
薬液貯留部11は概略有底の円筒状に形成されている。その外径は例えば８〜12ｍｍ、好ましくは10〜11ｍｍ程度、長さは20〜30ｍｍ、好ましくは24〜26ｍｍ程度とされる。これよりも小さいと軽過ぎてつぼ刺激部12、14による刺激が弱くなり、大きいと携帯や持ち運びに不便である。
【００３５】
つぼ刺激部12は概略円錐状に形成され、その中心には、薬液貯留部11内の薬液15を先端から漏出させる微細貫通孔12ａが設けられている。この円錐状のつぼ刺激部12の頂角は、頭皮に比較的弱い刺激を与えるように鈍角であることが望ましく、例えば約140°程度とされる。また微細貫通孔12ａの径は、１ｍｍ程度とされる。この微細貫通孔12ａは、概略円錐状のつぼ刺激部12の中心から若干外れた位置において開口していても構わない。
【００３６】
なお、このつぼ刺激具10を上述のように樹脂の射出成形によって形成する際には、成形型内に少量の空気が残るようにすることにより、薬液貯留部11を中空形状とすることができる。そして、それと一体的に形成されたつぼ刺激部12の先端から内部に向けて例えば細いドリルで孔を開けることにより、微細貫通孔12ａを形成することができる。
【００３７】
把持部材13の長さは一例として15ｃｍであり、その一端13ａは薬液貯留部11の周壁部に垂直に固着されている。この把持部材13の一端13ａの幅は４ｍｍ程度、把持部13ｂの幅は10ｍｍ程度で、全体として薬液貯留部11に向かって先細に形成されている。この把持部材13は全体的に扁平な形状とされ、また弾性変形可能な樹脂から形成されていることにより、把持部13ｂを指で把持して軽く振ると、薬液貯留部11を固着している一端13ａが上記微細貫通孔12ａの延びる方向（図１中の矢印Ａ方向）に動くようにしなる。
【００３８】
第二のつぼ刺激部14は、薬液貯留部11の他端部に形成されたテーパ部11ａの上に７本の突起14ａが設けられてなるものである。上記テーパ部11ａの高さは３ｍｍ程度、その先端面の直径は６ｍｍ程度とされる。一方、第二のつぼ刺激部14の突起14ａの長さは４ｍｍ程度とされ、その先端は丸い形状とされている。これら７本の突起14ａのうち１本は上記テーパ部11ａの先端面の中心に配置され、残りの６本はその１本の周りに等角度間隔で配置されている。
【００３９】
上記構成のつぼ刺激具10を用いる際には、図３に示すようにして、その薬液貯留部11内に頭髪用の育毛あるいは発毛薬液15が導入される。すなわち、ここでは例えば中空針状の薬液注入具20を備えた可撓性の薬瓶21が用いられ、薬液注入具20をつぼ刺激部12の微細貫通孔12ａに挿し込んだ後、薬瓶21を少し押し潰すことによって、その中の薬液15（図２参照）が微細貫通孔12ａを通して薬液貯留部11内に注入される。つまりここでは、微細貫通孔12ａが薬液注入具20を緊密に受け入れる形状とされて、薬液導入口を兼ねている。このような薬液注入具20を用いることにより、薬液供給を簡単に行なうことができる。
【００４０】
その後、図４に示すように、使用者22が指23で把持部材13の把持部13ｂ（図１参照）を指で把持して上下に軽く振ると、薬液貯留部11を固着している一端13ａが微細貫通孔12ａの延びる方向（矢印Ａ方向）に動くように把持部材13がしなるので、往復揺動するつぼ刺激部12で断続的に使用者22の頭部を叩いて、そこに刺激を与えることができる。
【００４１】
その際、つぼ刺激部12が使用者22の頭皮に当たって急停止すると、薬液15が慣性によって薬液貯留部11から頭皮刺激部12の微細貫通孔12ａ内を進んで、該頭皮刺激部12の先端から点状に漏出するようになる。この漏出した薬液15は使用者22の頭皮に点着される。このように、つぼ刺激部12で頭皮を刺激しながらそこに薬液15を点着すれば、該薬液15の育毛あるいは発毛効果がより一層顕著なものとなる。
【００４２】
また、以上のように育毛あるいは発毛薬液15の点着と頭皮刺激とを同時に行なえるから、頭皮刺激をおろそかにしてしまうことを防止でき、常に頭皮刺激によって薬液15の効果を最大限引き出すことが可能となる。
【００４３】
なお把持部材13を、図４に示すのとは上下反対の状態に把持すれば、第二のつぼ刺激部14で使用者22の頭部に刺激を与えることができる。その場合は、薬液15の点着は不可能であるが、第二のつぼ刺激部14が前述のような形状とされていることにより、つぼ刺激部12を用いる場合よりも強い刺激効果を与えることができる。
【００４４】
またこのつぼ刺激具10は、薬液貯留部11に薬液15を貯えない状態で使用することにより、つぼ刺激部12あるいは第二のつぼ刺激部14を用いて、首、肩、額、頭部等に有るつぼを刺激するだけの器具として使用することも勿論可能である。特に頭部を叩く場合は、頭皮への血液の循環を良くして毛根を活発化させることができるので、それだけで養毛、育毛の効果も得られる。
【００４５】
本実施の形態のつぼ刺激具10は、薬液貯留部11、つぼ刺激部12、把持部材13および第二のつぼ刺激部14を全て、樹脂の射出成形により一体的に形成してなるものであるので、作製に要する工数も少なく、比較的安価なコストで作製可能となる。
【００４６】
また、つぼ刺激部12は概略円錐状に形成されているから、その先端でつぼや頭皮に適度の刺激を与えられることができ、そして、その先端に開口する微細貫通孔12ａを容易に形成できるものとなる。また微細貫通孔12ａの径を前述のように１ｍｍ程度としておけば、つぼ刺激部12が頭皮に強く当たったときだけそこから薬液15を漏出させることができる。
【００４７】
また本実施の形態のつぼ刺激具10は、前述のように微細貫通孔12ａを通して薬液貯留部11に薬液15を供給できるものであるから、使用の都度薬液15を補充して繰り返し使用可能となる。そして、中空針状の薬液注入具20を用いて、薬瓶21から薬液貯留部11に１回分または１日分等の所定量の薬液15を貯えておくことができるから、薬液15を過不足なく正確に所定量だけ頭皮に点着可能となる。なお、薬瓶21に目盛り21ａを形成しておけば、それを目安にしながら注入操作することにより、薬液15を薬液貯留部11に所定量だけ正確に注入可能となる。
【００４８】
また、微細貫通孔12ａを薬液導入口として兼用しているから、それぞれを別に形成する場合と比べて、つぼ刺激具10の構造を簡素化することができる。
【００４９】
次に図５を参照して、本発明の別の実施形態について説明する。図５は、本発明の第２の実施の形態によるつぼ刺激具10Ａの要部の側断面形状を示すものである。なおこの図５において、図１および図２中のものと同等の要素には同番号を付してあり、それらについての説明は特に必要のない限り省略する（以下、同様）。
【００５０】
このつぼ刺激具10Ａは図２に示したものと比べると、薬液貯留部11内に球状部材30が収容されている点が異なるものである。この球状部材30は例えば金属、合成樹脂等から形成されており、薬液貯留部11が振られた際にその内部で跳ね動いて、そこに貯えられている薬液15を強く撹拌する。そこでこの場合は、薬液15が飛散して薬液貯留部11から漏出しやすくなるので、薬液15の点着を迅速に行なえるようになる。
【００５１】
次に図６を参照して、本発明のさらに別の実施形態について説明する。図６は、本発明の第３の実施の形態によるつぼ刺激具10Ｂの要部の側断面形状を示すものである。このつぼ刺激具10Ｂは図２に示したものと比べると、薬液貯留部11Ｂが、育毛あるいは発毛薬液15を貯留するカートリッジ40と、このカートリッジ40を着脱自在に保持して把持部材13の一端に固着されるカートリッジ受承部41とから構成されている点が異なるものである。なおつぼ刺激部12は、カートリッジ40と一体的に形成されている。
【００５２】
カートリッジ40は、例えばその円筒部の外径を、カートリッジ受承部41の円筒部の内径とほぼ等しく設定しておくことにより、該カートリッジ受承部41に強く嵌合させて装着させることができる。あるいは、その嵌合だけに頼るのではなく、図７に示すようにカートリッジ40の円筒部の外周面に係合突部40ａを設けるとともに、カートリッジ受承部41の円筒部の内周面に上記係合突部40ａと係合するＬ字形の係合溝41ａを形成して、つぼ刺激部12による頭皮刺激のためにカートリッジ40が振られた際に、それがカートリッジ受承部41から簡単に脱落しないようにしてもよい。
【００５３】
すなわち、この構造を採用した場合は、係合突部40ａが係合溝41ａの縦溝内に入る向きにしてカートリッジ40をカートリッジ受承部41に押し込み、次いでカートリッジ40を周方向に回して係合突部40ａを係合溝41ａの横溝内に収容させれば、カートリッジ40が振られてその軸方向に力が加わっても、カートリッジ40がカートリッジ受承部41から抜け落ちてしまうことがなくなる。
【００５４】
本実施の形態においては、カートリッジ40を交換することにより、薬液供給を簡単に行なうことができる。そのようにする場合も、１回分または１日分等の薬液を計量してカートリッジ40に入れておくことにより、薬液15を過不足なく正確に所定量だけ頭皮に点着可能となる。
【００５５】
なお上記のようなカートリッジ40は、空になる都度薬液15を補充して繰り返し使用してもよいし、あるいは、１回毎に使い捨てとしても構わない。特に使い捨ての形態で販売される場合は、つぼ刺激部12の微細貫通孔12ａから薬液15が浸出するのを防止するために、この微細貫通孔12ａを覆って閉じるシールを貼付しておくのが好ましい。
【００５６】
なお本実施の形態では、図５に示した第２の実施の形態におけるものと同様の球状部材30がカートリッジ40内に収容されて、薬液点着の迅速化が図られているが、特にこの球状部材30は用いなくても構わない。
【００５７】
次に図８を参照して、本発明のさらに別の実施形態について説明する。図８は、本発明の第４の実施の形態によるつぼ刺激具10Ｃの要部の側断面形状を示すものである。
【００５８】
このつぼ刺激具10Ｃにおいて、つぼ刺激部12は薬液貯留部11Ｃに螺合して一体化されるようになっており、このつぼ刺激部12を外した状態では薬液貯留部11Ｃの一端が大きく開いた状態となる。この状態で薬液貯留部11Ｃの中に中空球状部材50を収め、つぼ刺激部12を螺合させると、図８に示す状態になる。また薬液貯留部11Ｃの他端の内面には、鋭利な針51が突設されている。中空球状部材50は例えば薄い合成樹脂等から構成され、その内部には育毛あるいは発毛薬液15が充填されている。
【００５９】
本実施の形態において、頭皮刺激のためにつぼ刺激部12が、つまり薬液貯留部11Ｃが振られると、その内部で中空球状部材50が跳ね動き、そこに針51が突き刺さるようになる。すると、薄い合成樹脂等からなる中空球状部材50に孔が開いて、内部に充填されていた薬液15が飛び散り、つぼ刺激部12の微細貫通孔12ａから薬液15が漏出するようになる。この薬液15は、使用者の頭皮に点着される。
【００６０】
以上の通り本実施の形態においては、取扱いに便利な上述の中空球状部材50を用いて、薬液供給を簡単に行なうことができる。このような中空球状部材50は、図５に示したカートリッジ40と同様、薬液補充用に薬液を充填した状態で販売されることが望ましい。
【００６１】
次に図９を参照して、本発明のさらに別の実施形態について説明する。図９は、本発明の第５の実施の形態によるつぼ刺激具10Ｄの要部の側断面形状を示すものである。
【００６２】
このつぼ刺激具10Ｄにおいて、薬液貯留部11Ｄの部分は例えば弾性を有する薄肉の軟質合成樹脂等から形成することにより、可撓性の有るものとされている。そこでこの薬液貯留部11Ｄは、図９に示す通常状態と、それよりも容積が小さい圧縮状態とを取り得るように変形自在となっている。図１０と図１１は圧縮状態とされたこの薬液貯留部11Ｄを示すものであり、図１０は使用者がその指23で潰すことにより、また図１１は把持部材13を押し込むことにより、薬液貯留部11Ｄを圧縮したところを示している。
【００６３】
上述のようして薬液貯留部11Ｄを圧縮状態にした後、つぼ刺激部12の先端を薬液容器に漬け、指23を離したりあるいは把持部材13の押し込みを止めると、薬液貯留部11Ｄが通常状態に戻ろうとする。そこで、該薬液貯留部11Ｄの内部が負圧になり、微細貫通孔12ａを通して薬液貯留部11Ｄ内に薬液15（図９参照）が吸入される。こうして本実施の形態においては、別途薬液注入具を用いる必要もなく、薬液貯留部11Ｄへの薬液供給を簡単に行なうことができる。
【００６４】
なお本実施の形態では、薬液貯留部11Ｄを他の部分と同材料を用いて一体的に形成しているが、この薬液貯留部11Ｄを特に弾性の高い材料を用いて他の部分とは別体に形成し、それと他の部分とを接着等によって結合するようにしても構わない。
【００６５】
次に図１２を参照して、本発明のさらに別の実施形態について説明する。図１２は、本発明の第６の実施の形態によるつぼ刺激具10Ｅの要部の側断面形状を示すものである。
【００６６】
このつぼ刺激具10Ｅにおいて、薬液貯留部11Ｅの部分は例えば弾性を有する薄肉の軟質合成樹脂等を用いて、可撓性の有る蛇腹状に形成されている。そこでこの薬液貯留部11Ｅは、図１２に示す通常状態と、それよりも容積が小さい、蛇腹が潰れた圧縮状態とを取り得るように変形自在となっている。またそれに対応させて、薬液貯留部11Ｅを固着する把持部材13Ｅの一端部は二股形状とされ、二股の各部分は弾力的にしなるように形成されている。
【００６７】
図１３には、上記薬液貯留部11Ｅの圧縮状態を示してある。この圧縮状態にするためには、例えば２本の指の間につぼ刺激部12と第二のつぼ刺激部14とを挟み、それらを互いに近付くように押し付ければよい。このようして薬液貯留部11Ｅを圧縮状態にした後、つぼ刺激部12の先端を薬液容器に漬け、指による押し付けを止めると、潰れていた蛇腹状の薬液貯留部11Ｅが通常状態に戻ろうとする。そこで、該薬液貯留部11Ｅの内部が負圧になり、微細貫通孔12ａを通して薬液貯留部11Ｅ内に薬液15（図１２参照）が吸入される。こうして本実施の形態でも、第５の実施の形態と同様に、別途薬液注入具を用いることなく、薬液貯留部11Ｅへの薬液供給を簡単に行なうことができる。
【００６８】
なお本実施の形態では、微細貫通孔12ａがつぼ刺激部12の先端から若干外れた位置に開口している。このような構造としても、つぼ刺激部12の先端が頭皮に当たった際に微細貫通孔12ａから薬液15が漏出して、頭皮に点着され得る。
【図面の簡単な説明】
【図１】本発明の第１の実施形態によるつぼ刺激具を示す斜視図
【図２】図１のつぼ刺激具の要部を示す側断面図
【図３】図１のつぼ刺激具に薬液を注入する様子を示す概略図
【図４】図１のつぼ刺激具の使用状態を示す概略図
【図５】本発明の第２の実施形態によるつぼ刺激具の要部を示す側断面図
【図６】本発明の第３の実施形態によるつぼ刺激具の要部を示す側断面図
【図７】図６のつぼ刺激具の要部の組立状態を示す斜視図
【図８】本発明の第４の実施形態によるつぼ刺激具の要部を示す側断面図
【図９】本発明の第５の実施形態によるつぼ刺激具の要部を示す側断面図
【図１０】図９のつぼ刺激具の薬液貯留部を圧縮した状態を示す側断面図
【図１１】図９のつぼ刺激具の薬液貯留部を圧縮した別の状態を示す側断面図
【図１２】本発明の第６の実施形態によるつぼ刺激具の要部を示す側断面図
【図１３】図１２のつぼ刺激具の薬液貯留部を圧縮した状態を示す側断面図
【符号の説明】
10、10Ａ、10Ｂ、10Ｃ、10Ｄ、10Ｅ    つぼ刺激具
11、11Ａ、11Ｂ、11Ｃ、11Ｄ、11Ｅ    薬液貯留部
12    つぼ刺激部
12ａ    つぼ刺激部の微細貫通孔
13    把持部材
13ａ    把持部材の一端
13ｂ    把持部材の把持部
14    第二のつぼ刺激部
15    薬液
20    薬液注入具
21    薬瓶
30    球状部材
40    カートリッジ
41    カートリッジ受承部
50    中空球状部材
51    針
【図１】
0004113705.tif 000002
【図２】
0004113705.tif 000003
【図３】
0004113705.tif 000004
【図４】
0004113705.tif 000005
【図５】
0004113705.tif 000006
【図６】
0004113705.tif 000007
【図７】
0004113705.tif 000008
【図８】
0004113705.tif 000009
【図９】
0004113705.tif 000010
【図１０】
0004113705.tif 000011
【図１１】
0004113705.tif 000012
【図１２】
0004113705.tif 000013
【図１３】
0004113705.tif 000014